(57)【要約】【課題】製造金型の単純化および費用の低減を可能とし、あわせて、バッテリーモジュール組立工程が短縮できるバッテリーモジュールの保持装置を提供する。【解決手段】  本発明は、層状に積層されて結合される複数の保持部材と、積層された保持部材間の積層面に設けられ、積層面に沿って複数個配列されてなる収納部と、収納部に装着される緩衝部材と、を含み、保持部材は、バッテリーモジュールの配置方向に沿って形成された第１水平壁、第１水平壁の左右両端部で垂直方向に形成された第１外壁、および第１外壁間に形成された第１隔壁を一体に備える上下側体と、バッテリーモジュールの配置方向に沿って形成された第２水平壁、第２水平壁の左右両端部で上下側体の第１外壁に対応する位置に形成された第２外壁、および第２外壁間で上下側体の第１隔壁に対応する位置に形成された第２隔壁を一体に備える中間体から形成されることを特徴とする。【選択図】図４
2008226815.tif 000002
【特許請求の範囲】
【請求項１】
層状に積層されて結合される複数の保持部材と、
積層された前記保持部材間の積層面に設けられ、前記積層面に沿って複数個配列されてなる収納部と、
前記収納部に装着される緩衝部材と、
を含んでなることを特徴とするバッテリーモジュールの保持装置。
【請求項２】
前記保持部材は、
前記バッテリーモジュールの配置方向に沿って形成された第１水平壁、前記第１水平壁の左右両端部で前記バッテリーモジュールの配置方向と交差する垂直方向に形成された第１外壁、および前記第１外壁間に形成された第１隔壁を一体に備える上下側体と、
前記バッテリーモジュールの配置方向に沿って形成された第２水平壁、前記第２水平壁の左右両端部で前記上下側体の前記第１外壁に対応する位置に形成された第２外壁、および前記第２外壁間で前記上下側体の前記第１隔壁に対応する位置に形成された第２隔壁を一体に備える中間体と、
を含み、
前記上下側体と前記中間体には、前記上下側体と前記中間体をボルトとナットによって層状に結合するための締結孔が形成されることを特徴とする請求項１に記載のバッテリーモジュールの保持装置。
【請求項３】
前記収納部は、前記上下側体と前記中間体間の積層面および前記中間体間の積層面に沿って複数個形成された貫通孔であることを特徴とする請求項２に記載のバッテリーモジュールの保持装置。
【請求項４】
前記保持部材は、前記バッテリーモジュールの配置方向と交差する垂直方向に所定の間隔で配置された状態で、層状に積層されて一体結合される複数の分割体からなり、前記分割体には、これらをボルトとナットによって層状に結合するための締結孔が形成されたことを特徴とする請求項１に記載のバッテリーモジュールの保持装置。
【請求項５】
前記収納部は、前記層状に積層される分割体間の積層面に沿って複数個形成された貫通孔であることを特徴とする請求項４に記載のバッテリーモジュールの保持装置。
【請求項６】
前記収納部のうち、前記バッテリーモジュールの入側および出側に位置する収納部間の積層面には、前記バッテリーモジュールの配置方向と交差する水平方向に隣接した収納部間を貫通する溝部Ｈが形成され、前記溝部には、前記隣接した収納部に設置される前記バッテリーモジュール間を電気的に連結するバスバープレートが装着されることを特徴とする請求項３または５に記載のバッテリーモジュールの保持装置。
【請求項７】
前記層状に積層される複数の保持部材のうち、最上層と最下層に位置する保持部材の前記バッテリーモジュールの配置方向と交差する水平方向の長さは、最上層と最下層の中間に位置する保持部材の長さより長く設定され、前記最下層に位置する保持部材の前記バッテリーモジュールの配置方向と交差する水平方向の両側先端部は前記中間に位置する保持部材の両端部を取り囲むように上方向に伸びて、前記最上層に位置する保持部材の両端部の底面に結合されることを特徴とする請求項６に記載のバッテリーモジュールの保持装置。
【請求項８】
前記層状に積層される複数の保持部材のうち、最上層、最下層および真中層に位置する保持部材の前記バッテリーモジュールの配置方向と交差する水平方向の長さは、最上層、最下層および真中層間以外の中間層保持部材の長さより長く設定され、前記真中層に位置する保持部材の前記バッテリーモジュールの配置方向と交差する水平方向の両側先端部は、前記中間層保持部材の両端部を取り囲むように上下方向に伸びて、前記最上層と最下層に位置する保持部材の両端部の底面にそれぞれ結合されることを特徴とする請求項６に記載のバッテリーモジュールの保持装置。
【請求項９】
前記保持部材間の積層面には、上下の対応する位置に係合のための凹部と凸部がそれぞれ形成されることを特徴とする請求項１に記載のバッテリーモジュールの保持装置。
【請求項１０】
前記緩衝部材は、前記積層面を覆うように前記収納部と整合する凹状の湾曲部が形成された第１緩衝部と、前記第１緩衝部の前記バッテリーモジュールの配置方向と交差する水平方向の両端部で折り曲げられ、前記積層面の前記バッテリーモジュールの配置方向と交差する垂直方向の両側部を取り囲む第２緩衝部とを一体に備えたことを特徴とする請求項９に記載のバッテリーモジュールの保持装置。
【請求項１１】
前記緩衝部材は、前記収納部を覆うように前記収納部と整合する凹状の湾曲部が形成された第３緩衝部と、前記第３緩衝部の前記バッテリーモジュールの配置方向と交差する水平方向の両端部で折り曲げられ、前記収納部の前記バッテリーモジュールの配置方向と交差する垂直方向の前記収納部の両側部を取り囲む第４緩衝部とを一体に備えたことを特徴とする請求項９に記載のバッテリーモジュールの保持装置。
【請求項１２】
前記緩衝部材は、前記収納部を覆うように凹状の湾曲部が形成された第５緩衝部と、前記第５緩衝部の凹状湾曲部の中央裏面の凸部に突出し前記収納部に形成された第１挿入孔内に係合される第１挿入ピンとを一体に備えたことを特徴とする請求項９に記載のバッテリーモジュールの保持装置。
【請求項１３】
前記緩衝部材は、前記収納部と整合する凹状の湾曲部と前記収納部に隣り合う前記積層面を覆う平坦部からなる第６緩衝部と、前記第６緩衝部の平坦部の下面から突出し、前記積層面に形成された第２挿入孔内に係合される第２挿入ピンとを一体に備えたことを特徴とする請求項９に記載のバッテリーモジュールの保持装置。
【請求項１４】
前記緩衝部材は、前記バッテリーモジュールの外周に装着され、前記収納部の凹状の湾曲部に沿って形成された第１溝に挿入されるＯリングを含んでなることを特徴とする請求項９に記載のバッテリーモジュールの保持装置。
【請求項１５】
前記緩衝部材は、前記収納部の凹状湾曲部と前記凹状湾曲部の前記バッテリーモジュールの配置方向と交差する水平方向の両方向に伸びる前記積層面に沿って凹状に形成された第２溝に収納される湾曲部を有する帯状部材と、前記帯状部材の前記積層面に沿う平坦部の下面に突出し、前記第２溝に形成された第３挿入孔に挿入される第３挿入ピンとを一体に備えたことを特徴とする請求項９に記載のバッテリーモジュールの保持装置。
【発明の詳細な説明】
【技術分野】
【０００１】
本発明は、バッテリーモジュールの保持装置に係り、さらに詳しくは、バッテリーモジュールの収納と、バッテリーモジュールの収納のための保持部品の製造工程の単純化、および組立工程の短縮化を可能にするバッテリーモジュールの保持装置に関する。
【背景技術】
【０００２】
一般に、ハイブリッド自動車に使用されるバッテリーモジュールは、ボックス状の保持装置の内部に複数列で一定の方向性を有するように配置され、それぞれのバッテリーモジュールは互いに電気的に接続されるとともに機械的に連結された状態で保管される。
すなわち、従来のバッテリーモジュールの保持装置は、図１に示すように、冷却風の吸気、排気のために複数に分割されて開口した入出口を有するように、外壁１ａと内壁１ｂを備えたハウジング１と、外壁１ａと内壁１ｂにそれぞれ対面する位置に複数の行および列で貫通された、バッテリーモジュール３が挿入されて支持される断面円形の空間を形成する穿孔部と５を備える。
【０００３】
また、穿孔部５には、バッテリーモジュール３を挿入する際に、緩衝作用をもたせるための緩衝部材７が取り付けられる。緩衝部材７は、外壁１ａおよび内壁１ｂと同一の寸法を有し、穿孔部５の内部に挿入される円筒状突部７ａを一体に備えた構造からなる。
そして、ハウジング１には、バッテリーモジュールの保持装置の固定設置のためのマウントブラケット９が一体に形成される。マウントブラケット９は、ハウジング１の成形時に一体に形成される。
したがって、ハウジング１内に複数個が収納されるバッテリーモジュール３は、穿孔部５内に結合される緩衝部材７の円筒状突部７ａの内部に差し込まれて支持される。
【０００４】
しかし、上記構造を有する従来バッテリーモジュールの保持装置には次のような問題があった。
まず、従来のバッテリーモジュールの保持装置は、外壁１ａ、内壁１ｂおよび穿孔部５を一体に形成しているため、製造時、複雑な形状の金型を製作する必要があり、それによって、金型の製作、金型の修理および金型の製作の期間が長くなることによる製造の遅延と人件費の増大などの問題があった。
また、緩衝部材７設置時、外壁１ａと内壁１ｂに形成された複数の穿孔部５に対する円筒状突部７ａの差し込み工程に長時間を要していた。
さらに、バッテリーモジュール３の組立の際に、複数の円筒状突部７ａ内にバッテリーモジュール３を一つ一つ挿入しなければならないため、組立に長時間を要し、多大の労力を必要としていた。
【特許文献１】特開２００４−１３９９３４号公報
【発明の開示】
【発明が解決しようとする課題】
【０００５】
本発明の目的は、バッテリーモジュールを収納するハウジングの構造を積層式に変更することで、バッテリーモジュールの保持装置の製造に必要な金型の単純化および費用の低減を可能とし、あわせて、バッテリーモジュール組立工程が短縮できるバッテリーモジュールの保持装置を提供することである。
【課題を解決するための手段】
【０００６】
本発明は、層状に積層されて結合される複数の保持部材と、積層された前記保持部材間の積層面に設けられ、前記積層面に沿って複数個配列されてなる収納部と、前記収納部に装着される緩衝部材と、を含んでなることを特徴とする。
【０００７】
前記保持部材は、前記バッテリーモジュールの配置方向に沿って形成された第１水平壁、前記第１水平壁の左右両端部で前記バッテリーモジュールの配置方向と交差する垂直方向に形成された第１外壁、および前記第１外壁間に形成された第１隔壁を一体に備える上下側体と、前記バッテリーモジュールの配置方向に沿って形成された第２水平壁、前記第２水平壁の左右両端部で前記上下側体の前記第１外壁に対応する位置に形成された第２外壁、および前記第２外壁間で前記上下側体の前記第１隔壁に対応する位置に形成された第２隔壁を一体に備える中間体と、を含み、前記上下側体と前記中間体には、前記上下側体と前記中間体をボルトとナットによって層状に結合するための締結孔が形成されることを特徴とする。
【０００８】
前記収納部は、前記上下側体と前記中間体間の積層面および前記中間体間の積層面に沿って複数個形成された貫通孔であることを特徴とする。
【０００９】
前記保持部材は、前記バッテリーモジュールの配置方向と交差する垂直方向に所定の間隔で配置された状態で、層状に積層されて一体結合される複数の分割体からなり、前記分割体には、これらをボルトとナットによって層状に結合するための締結孔が形成されたことを特徴とする。
【００１０】
前記収納部は、前記層状に積層される分割体間の積層面に沿って複数個形成された貫通孔であることを特徴とする。
【００１１】
前記収納部のうち、前記バッテリーモジュールの入側および出側に位置する収納部間の積層面には、前記バッテリーモジュールの配置方向と交差する水平方向に隣接した収納部間を貫通する溝部Ｈが形成され、前記溝部には、前記隣接した収納部に設置される前記バッテリーモジュール間を電気的に連結するバスバープレートが装着されることを特徴とする。
【００１２】
前記層状に積層される複数の保持部材のうち、最上層と最下層に位置する保持部材の前記バッテリーモジュールの配置方向と交差する水平方向の長さは、最上層と最下層の中間に位置する保持部材の長さより長く設定され、前記最下層に位置する保持部材の前記バッテリーモジュールの配置方向と交差する水平方向の両側先端部は前記中間に位置する保持部材の両端部を取り囲むように上方向に伸びて、前記最上層に位置する保持部材の両端部の底面に結合されることを特徴とする。
【００１３】
前記層状に積層される複数の保持部材のうち、最上層、最下層および真中層に位置する保持部材の前記バッテリーモジュールの配置方向と交差する水平方向の長さは、最上層、最下層および真中層間以外の中間層保持部材の長さより長く設定され、前記真中層に位置する保持部材の前記バッテリーモジュールの配置方向と交差する水平方向の両側先端部は、前記中間層保持部材の両端部を取り囲むように上下方向に伸びて、前記最上層と最下層に位置する保持部材の両端部の底面にそれぞれ結合されることを特徴とする。
【００１４】
前記保持部材間の積層面には、上下の対応する位置に係合のための凹部と凸部がそれぞれ形成されることを特徴とする。
【００１５】
前記緩衝部材は、前記積層面を覆うように前記収納部と整合する凹状の湾曲部が形成された第１緩衝部と、前記第１緩衝部の前記バッテリーモジュールの配置方向と交差する水平方向の両端部で折り曲げられ、前記積層面の前記バッテリーモジュールの配置方向と交差する垂直方向の両側部を取り囲む第２緩衝部とを一体に備えたことを特徴とする。
【００１６】
前記緩衝部材は、前記収納部を覆うように前記収納部と整合する凹状の湾曲部が形成された第３緩衝部と、前記第３緩衝部の前記バッテリーモジュールの配置方向と交差する水平方向の両端部で折り曲げられ、前記収納部の前記バッテリーモジュールの配置方向と交差する垂直方向の前記収納部の両側部を取り囲む第４緩衝部とを一体に備えたことを特徴とする。
【００１７】
前記緩衝部材は、前記収納部を覆うように凹状の湾曲部が形成された第５緩衝部と、前記第５緩衝部の凹状湾曲部の中央裏面の凸部に突出し前記収納部に形成された第１挿入孔内に係合される第１挿入ピンとを一体に備えたことを特徴とする。
【００１８】
前記緩衝部材は、前記収納部と整合する凹状の湾曲部と前記収納部に隣り合う前記積層面を覆う平坦部からなる第６緩衝部と、前記第６緩衝部の平坦部の下面から突出し、前記積層面に形成された第２挿入孔内に係合される第２挿入ピンとを一体に備えたことを特徴とする。
【００１９】
前記緩衝部材は、前記バッテリーモジュールの外周に装着され、前記収納部の凹状の湾曲部に沿って形成された第１溝に挿入されるＯリングを含んでなることを特徴とする。
【００２０】
前記緩衝部材は、前記収納部の凹状湾曲部と前記凹状湾曲部の前記バッテリーモジュールの配置方向と交差する水平方向の両方向に伸びる前記積層面に沿って凹状に形成された第２溝に収納される湾曲部を有する帯状部材と、前記帯状部材の前記積層面に沿う平坦部の下面に突出し、前記第２溝に形成された第３挿入孔に挿入される第３挿入ピンとを一体に備えたことを特徴とする。
【発明の効果】
【００２１】
本発明によるバッテリーモジュールの保持装置によれば、複数のバッテリーモジュールを収納する保持装置が層状に積層される構造によって、保持装置の製作に必要な金型を単純化することができ、それによって金型の修理および製作に必要な費用を低減することができる。
また、バッテリーモジュールの保持装置が層状に積層される構造によって、複数のバッテリーモジュールを組み立てるのに必要な時間を減らすことができ、特にバッテリーモジュールの組立の際に、従来のような挿入方式ではなく、穿孔部に単に載せるだけで良いので、作業性を大きく改善することができ、それによって組立に必要な時間を大きく減らすことができる。
さらに、バッテリーモジュールの保持装置に緩衝部材を設置する際にも、層状に配置される各分割体に緩衝部材を簡便に載せるだけで済むため、従来に比べて、緩衝部材の組立に必要な時間を減らすことができるとともに作業性を大きく改善することができる。
【発明を実施するための最良の形態】
【００２２】
以下、本発明の実施例を添付図面に基づいて詳細に説明する。
【実施例】
【００２３】
本発明は、図３および図４にそれぞれ示すように、層状に積層されて結合される複数の保持部材１００と、積層された保持部材１００間の積層面１１０に設けられ、積層面１１０に沿って複数個配列されてなる収納部２００と、収納部２００に装着される緩衝部材３００と、緩衝部材３００に取り囲まれて収納部２００に設置されるとともに、相互に電気的に連結される複数のバッテリーモジュール４００とを含んで構成される。
【００２４】
本発明の第１実施例による保持部材１００は、上下側体１２０と中間体１４０からなり、バッテリーモジュールの配置方向に沿って形成された第１水平壁１２２、第１水平壁１２２の左右両端部でバッテリーモジュール４００の配置方向と交差する垂直方向に形成された第１外壁１２４、および第１外壁１２４間に形成された第１隔壁１２６を一体に備える上下側体１２０と、バッテリーモジュール４００の配置方向に沿って形成された第２水平壁１４２、第２水平壁１４２の左右両端部で上下側体１２０の第１外壁１２４に対応する位置に形成された第２外壁１４４、および第２外壁１４４間で上下側体１２０の第１隔壁１２６に対応する位置に形成された第２隔壁１４６を一体に備える中間体１４０と、を含み、上下側体１２０と中間体１４０には、上下側体１２０と中間体１４０をボルトとナットによって層状に結合するための締結孔１６２が形成されている。
【００２５】
中間体１４０は、バッテリーモジュール４００の配置方向に水平に形成された第２水平壁１４２と、第２水平壁１４２の左右両端部でバッテリーモジュール４００の配置方向と交差する方向に相互に離隔され、上下側体１２０の第１外壁１２４とそれぞれ整合して積層される位置に形成された一対の第２外壁１４４と、前記第２外壁１４４の間に相互に等間隔で離隔され、前記上下側体１２０の第１隔壁１２６とそれぞれ整合して積層される位置に形成された第２隔壁１４６とを一体に備えている。
ここで、上下側体１２０と中間体１４０の角部には、ボルトＢとナットＮを通じてこれらを層状に結合するための締結孔１２８、１４８が形成される。
【００２６】
収納部２００は、上下側体１２０と中間体１４０間の積層面１１０、および中間体１４０間の積層面１１０に沿って複数列に形成された貫通孔からなる。
図５に示すように、上下側体１２０の底面部にはマウントプレート５００が装着され、マウントプレート５００は、上下側体１２０の外部を覆うカバープレート５１０と結合される。
この結果、層状に積層される保持部材１００は、マウントプレート５００とカバープレート５１０によって堅固に積層された状態を維持することになる。
ボルトＢは、カバープレート５１０、締結孔１２８、１４８および、マウントプレート５００を順次貫通してナットＮに締結される。
【００２７】
図６に示すように、本発明の第２実施例による保持部材１００は、角形のバーから形成され、バッテリーモジュール４００の配置方向と交差する方向に所定の離隔距離を置いて層状に積層されて一体に結合される複数の分割体１６０からなる。
分割体１６０の端部には、ボルトＢとナットＮによってこれらを層状に結合するための締結孔１６２が形成される。
収納部２００は、層状に積層される分割体１６０間の積層面１１０に沿って複数列に形成された貫通孔からなる。
【００２８】
すなわち、本発明の第１および第２実施例において、収納部２００はバッテリーモジュール４００の外形と同一形状に形成される。例えば、バッテリーモジュール４００が円筒体に設定されれば、収納部２００は保持部材１００間の積層面１１０にそれぞれ半円形に形成された溝に設定され、これら溝の整合によって、収納部２００は断面円形の形態を成すことになる。
【００２９】
図７に示すように、収納部２００のうち、保持部材１００の最外側に位置する収納部２００間の積層面１１０には、隣接した収納部２００の間を貫通する溝部Ｈが形成され、溝部Ｈには、隣接した収納部２００に設置されるバッテリーモジュール４００間を電気的に連結するバスバープレート（ｂｕｓｂａｒ  ｐｌａｔｅ）４１０が装着されている。これにより、収納部２００に装着される複数のバッテリーモジュール４００はバスバープレート４１０を介して相互に電気的に接続できる。
【００３０】
図８に示すように、ボルトＢが層状に積層された複数の保持部材１００を順次貫いてからナットＮに締結される場合には、ボルトＢの締結の際に、ボルトＢに伝達されるトルクによってボルトＢの軸部でねじり変形が発生する。このような場合には、ボルトＢの軸部で発生したねじり変形はボルトＢとナットＮ間の締結力を低下させることになるので、ボルトＢの長さは最小に設定することが望ましい。
このために、図９および図１０にそれぞれ示すように、層状に積層される複数の保持部材１００において、ボルトＢによる締結長をより短く設定することが望ましい。
【００３１】
すなわち、図９のように、層状に積層された複数の保持部材１００のうち、最上層と最下層に位置する保持部材１０１、１０２の長さは中間層に位置する保持部材１０３の長さより長く設定され、最下層に位置する保持部材１０２の両側先端部は中間層に位置する保持部材１０３の両端部を取り囲むように折り曲げられ、最上層に位置する保持部材１０１の両端部側の底面部に接触して結合される。
ボルトＢの締結のための締結孔１２８、１４８、１６２は、複数の保持部材１００のなかで最上層と最下層に位置する保持部材１０１、１０２の両側先端部に限って形成すれば良い。
【００３２】
また、図１０のように、層状に積層された複数の保持部材１００のうち、最上層と最下層および真中層に位置する保持部材１１１、１１２、１１３の長さは最上層と真中層との間と、最下層と真中層との間にそれぞれ位置する中間層保持部材１１４の長さより長く設定される。
真中層に位置する保持部材１１３の両側先端部は中間層保持部材１１４の両端部を取り囲むように折り曲げられ、最上層と最下層に位置する保持部材１１１、１１２の両端側底面部にそれぞれ接触して結合される。
【００３３】
ボルトＢの締結のための締結孔１２８、１４８、１６２は、複数の保持部材１００のうち、中最上層、最下層および真中層に位置する保持部材１１１、１１２、１１３の両側先端部に限って形成すれば良い。
したがって、図９および図１０に示す構造を利用して複数の保持部材１００を層状に積層させた状態で、ボルトＢとナットＮを利用して締結する場合には、ボルトＢの締結距離を大きく短縮させることができる。
また、複数の保持部材１００を締結するためのボルトＢの長さをより短く設定すれば、ボルトＢの締結時にボルトＢに加えられるトルクがボルトＢの締結にだけ作用することができるので、ボルトＢの軸部で発生するねじり変形による締結力の低下を防止することができる。
【００３４】
図１１に示すように、保持部材１００間の積層面１１０に、それぞれ係合のための凹部１００ａと凸部１００ｂがそれぞれ整合する位置に形成される。すなわち、積層される二つの保持部材１００のいずれか一方には凹部１００ａが形成され、他方には凸部１００ｂが形成される。
この際に、凹部１００ａと凸部１００ｂの断面形状は、図１１に示すように、角形、楔形および円弧形などの多様な形態に設定できる。
これにより、層状に積層される複数の保持部材１００は、凹部１００ａと凸部１００ｂ間の係合によって、ねじ締結作業が行われる時点まで、結合状態をより堅固に維持することができる。
【００３５】
一方、収納部２００の表面全周にわたってゴムのような衝撃吸収性材質の緩衝部材３００が固定設置される。緩衝部材３００は収納部２００に装着されて、バッテリーモジュール４００に対する緩衝の機能を果たすことになる。
このために、緩衝部材３００は多様な形態で収納部２００に設置される。まず、第１実施例による緩衝部材３００は、図１２に示すように、積層面１１０を覆うように、収納部２００と整合する凹状の湾曲部３０２ａが複数形成された第１緩衝部３０２と、第１緩衝部３０２の両端部でおよそ９０゜だけ折り曲げられて積層面１１０の両側部を取り囲む第２緩衝部３０４とを一体に備えた構造からなる。
【００３６】
第２実施例による緩衝部材３００は、図１３に示すように、収納部２００を個別的に覆うように凹状に形成された第３緩衝部３０６と、第３緩衝部３０６の両端部でおよそ９０゜だけ折り曲げられて積層面１１０の両側部を取り囲む第４緩衝部３０８とを一体に備えた構造からなる。
第３実施例による緩衝部材３００は、図１４に示すように、収納部２００を個別的に覆うように凹状に形成された第５緩衝部３１０と、第５緩衝部３１０の背面に突出して、収納部２００に形成された第１挿入孔２１０に差し込まれる第１挿合ピン３１２とを一体に備えた構造からなる。
【００３７】
第４実施例による緩衝部材３００は、図１５に示すように、収納部２００と整合する凹状の湾曲部３１４ａを備えるとともに、収納部２００に隣り合う積層面１１０を覆う第６緩衝部３１４と、第６緩衝部３１４の両端の背面に突出して、積層面１１０に形成された第２挿入孔２２０に差し込まれる第２挿入ピン３１６とを一体に備えた構造からなる。
第５実施例による緩衝部材３００は、図１６に示すように、バッテリーモジュール４００の外周に結合され、収納部２００の長手方向に凹設された第１溝２３０に挿入されるＯリング３１８からなる。
【００３８】
第６実施例による緩衝部材３００は、図１７に示すように、収納部２００を含み、収納部２００に隣り合う積層面１１０に沿って凹設された第２溝２４０に受納される湾曲部３２０ａを有する帯状部材３２０と、帯状部材３２０の背面に突出して、第２溝２４０に形成された第３挿入孔２５０に差し込まれる第３挿入ピン３２２とを一体に備えた構造からなる。
第２溝２４０は断面多角形に形成され、帯状部材３２０の断面は円形または多角形に形成され、帯状部材３２０の突出高は第２溝２４０から少し突出する程度に設定されることが望ましい。
【００３９】
本発明によるバッテリーモジュールの保持装置の組立は次のような過程で行われる。
まず、マウントプレート５００の上部に保持部材１００を載せた後、保持部材１００に形成された複数の収納部２００にそれぞれ個別に緩衝部材３００を設置する。ついで、緩衝部材３００に個別にバッテリーモジュール４００を装着する。
このような過程を複数回繰り返せば、保持部材１００は複数の層状に積層され、最後にカバープレート５１０を組み立てた後、締結孔１２８、１４８、１６２を通じてボルトＢを挿入し、ボルトＢとマウントプレート５００の底面部のナット（図示せず）を締結させる。
【産業上の利用可能性】
【００４０】
本発明は、製造工程の単純化、および組立工程の短縮化を目的とするバッテリーモジュールの保持装置に適用可能である。
【図面の簡単な説明】
【００４１】
【図１】従来のバッテリーモジュールの保持装置を示す斜視図である。
【図２】図１の外壁、隔壁と緩衝部材間の結合部位を示す断面図である。
【図３】本発明による第１実施例による保持部材を備えたバッテリーモジュールの保持装置を示す斜視図である。
【図４】図３の分解斜視図である。
【図５】マウントプレートとカバープレートを含むバッテリーモジュールの保持装置を示す斜視図である。
【図６】本発明の第２実施例による保持部材を備えたバッテリーモジュールの保持装置を示す分解斜視図である。
【図７】バッテリーモジュール間の電気的接続のためのバスバープレートの設置状態を示す図である。
【図８】層状に積層される保持部材の締結状態を示す図である。
【図９】層状に積層される保持部材の他の締結状態を示す図である。
【図１０】層状に積層される保持部材のさらに他の締結状態を示す図である。
【図１１】層状に積層される保持持材間の結合状態を示す図である。
【図１２】本発明の第１実施例による緩衝部材の構成を示す図である。
【図１３】本発明の第２実施例による緩衝部材の構成を示す図である。
【図１４】本発明の第３実施例による緩衝部材の構成を示す図である。
【図１５】本発明の第４実施例による緩衝部材の構成を示す図である。
【図１６】本発明の第５実施例による緩衝部材の構成を示す図である。
【図１７】本発明の第６実施例による緩衝部材の構成を示す図である。
【符号の説明】
【００４２】
１００、１０１、１０２、１０３、１１１、１１２、１１３、１１４    保持部材
１００ａ    凹部
１００ｂ    凸部
１１０    積層面
１２０    上下側体
１２２    第１水平壁
１２４    第１外壁
１２６    第１隔壁
１２８    締結孔
１４０    中間体
１４２    第２水平壁
１４４    第２外壁
１４６    第２隔壁
１４８    締結孔
１６０    分割体
１６２    締結孔
２００    収納部
２１０    第１挿入孔
２３０    第１溝
２４０    第２溝
３００    緩衝部材
３０２    第１緩衝部
３０４    第２緩衝部
３０６    第３緩衝部
３０８    第４緩衝部
３１０    第５緩衝部
３１２    第１挿入ピン
３１４    第６緩衝部
３１６    第２挿入ピン
３１８    Ｏリング
３２０    帯状部材
３２２    第３挿入ピン
４００    バッテリーモジュール
４１０    バスバープレート
５００    マウントプレート
５１０    カバープレート
Ｂ    ボルト
Ｈ    溝部
Ｎ    ナット
【図１】
2008226815.tif 000003
【図２】
2008226815.tif 000004
【図３】
2008226815.tif 000005
【図４】
2008226815.tif 000006
【図５】
2008226815.tif 000007
【図６】
2008226815.tif 000008
【図７】
2008226815.tif 000009
【図８】
2008226815.tif 000010
【図９】
2008226815.tif 000011
【図１０】
2008226815.tif 000012
【図１１】
2008226815.tif 000013
【図１２】
2008226815.tif 000014
【図１３】
2008226815.tif 000015
【図１４】
2008226815.tif 000016
【図１５】
2008226815.tif 000017
【図１６】
2008226815.tif 000018
【図１７】
2008226815.tif 000019